(57)【要約】【課題】耐久性および配線自由度が高くコストの低減を図りつつ容易かつ簡単な構造で離れた配線同士をジャンパー接続することができるフレキシブル配線基板を提供する。【解決手段】フレキシブル配線基板１は、絶縁フィルム２１上に複数の配線３１〜３５を形成し、カバーレイ２２で覆った構造からなる。また、基板の側縁部から外方に突出する片状に形成された折り曲げ部１０を有する。折り曲げ部１０にはジャンパー配線２８，２９が形成され、カバーレイ２２が除去された電極部２８ａ，２８ｂ，２９ａ，２９ｂ，２９ｃが設けられている。複数の配線３１〜３５には、同様にカバーレイ２２が除去された電極部３１ａ〜３５ａが設けられている。折り曲げ部１０を折り曲げ箇所ｆにて折り返して各電極部を導電性ペースト４０を介して接続しジャンパー接続する。【選択図】図１
2008166496.tif 000002
【特許請求の範囲】
【請求項１】
所定の方向に延在する複数の配線が可撓性絶縁フィルム上に形成されたフレキシブル配線基板において、
前記可撓性絶縁フィルムは、折り返すことによって前記複数の配線のうちの少なくとも二以上の被接続配線と重なる折り曲げ部を有し、
該折り曲げ部上には、当該折り曲げ部が折り返された際に前記被接続配線と交わるように延在するジャンパー配線が少なくとも一以上形成され、
前記被接続配線および前記ジャンパー配線の前記折り曲げ部が折り返された際に交わる交差部分には、該被接続配線および該ジャンパー配線の少なくとも一方を覆う絶縁性のカバーレイが形成されており、
該カバーレイは、前記交差部分のうちの少なくとも二箇所以上が前記被接続配線または前記ジャンパー配線を露出するように開口されている
ことを特徴とするフレキシブル配線基板。
【請求項２】
前記カバーレイは、前記被接続配線および前記ジャンパー配線のいずれをも覆うように形成されており、
前記開口は、それぞれ対向する位置に形成されていることを特徴とする請求項１記載のフレキシブル配線基板。
【請求項３】
前記折り曲げ部は、側方に突出するように形成されていることを特徴とする請求項１または２記載のフレキシブル配線基板。
【請求項４】
前記折り曲げ部は、その折り曲げ部以外の周囲が切り込まれることによって形成されていることを特徴とする請求項１または２記載のフレキシブル配線基板。
【請求項５】
前記被接続配線および前記ジャンパー配線は、導電性ペースト、半田および異方導電性フィルムのいずれかを介して接続されていることを特徴とする請求項１〜４のいずれか１項記載のフレキシブル配線基板。
【請求項６】
前記被接続配線および前記ジャンパー配線は、レーザ溶着、超音波溶着、振動溶着および加圧溶着のいずれかによって接続されていることを特徴とする請求項１〜４のいずれか１項記載のフレキシブル配線基板。
【発明の詳細な説明】
【技術分野】
【０００１】
本発明は、ＦＰＣ（Ｆｌｅｘｉｂｌｅ  Ｐｒｉｎｔｅｄ  Ｃｉｒｃｕｉｔ）などのフレキシブル配線基板に関し、特に他の配線を間に挟んで所定の配線間をジャンパー接続するためのジャンパー構造を有するフレキシブル配線基板に関する。
【背景技術】
【０００２】
自動車やＯＡ機器などの配線に用いられるフレキシブル配線基板は、軽量化やコンパクト化の要請から、多く使用されるようになってきた。このようなフレキシブル配線基板は、例えば絶縁樹脂からなるベースフィルムの片面に圧延銅箔を積層した銅張積層板にエッチングなどにより導体パターンからなる配線を形成し、カバーレイなどの保護フィルムで被覆してなる。
【０００３】
そして、例えば配線同士を他の配線を跨って短絡する（ジャンパー接続する）場合には、フレキシブル配線基板を多層構造にして裏面にも短絡用の導体パターンからなる配線を形成し、表面の配線と裏面の配線とをスルーホールなどによって接続するようにしている。
【０００４】
その他、フレキシブル配線基板の配線同士をジャンパー接続するものとしては、例えばフレキシブル配線基板の縁部に設けられた配線から側方に突出するように分岐部を形成し、この分岐部を折り返すことにより、分岐部の先端の接続部を配線の接続部に導電性接着剤を介して接続し、ジャンパー接続するものが知られている（例えば、特許文献１参照）。
【０００５】
【特許文献１】特開平１０−１５０２４６号公報
【発明の開示】
【発明が解決しようとする課題】
【０００６】
しかしながら、上述した従来のフレキシブル配線基板におけるジャンパー接続では、分岐部に形成された配線とともに分岐部を折り返して接続部同士を接続するため、配線の折り曲げによる回路抵抗の増大やクラックによる断線などが発生し、耐久性が低下してしまうおそれがあるという問題がある。
【０００７】
また、フレキシブル配線基板の縁部に設けられた配線の側方に突出する分岐部を形成した構造であるため、４つ以上の配線が並設された回路パターンにおいては内側に形成された配線同士をジャンパー接続することが構造上不可能で配線自由度が著しく低くなってしまうという問題がある。この場合にジャンパー接続を実現するためには、別途ジャンパー部品などが必要となるため、コストが増加してしまうという問題がある。
【０００８】
本発明は、このような点に鑑みてなされたもので、耐久性および配線自由度が高くコストの低減を図りつつ容易かつ簡単な構造で離れた配線同士をジャンパー接続することができるフレキシブル配線基板を提供することを目的とする。
【課題を解決するための手段】
【０００９】
本発明に係るフレキシブル配線基板は、所定の方向に延在する複数の配線が可撓性絶縁フィルム上に形成されたフレキシブル配線基板において、前記可撓性絶縁フィルムは、折り返すことによって前記複数の配線のうちの少なくとも二以上の被接続配線と重なる折り曲げ部を有し、該折り曲げ部上には、当該折り曲げ部が折り返された際に前記被接続配線と交わるように延在するジャンパー配線が少なくとも一以上形成され、前記被接続配線および前記ジャンパー配線の前記折り曲げ部が折り返された際に交わる交差部分には、該被接続配線および該ジャンパー配線の少なくとも一方を覆う絶縁性のカバーレイが形成されており、該カバーレイは、前記交差部分のうちの少なくとも二箇所以上が前記被接続配線または前記ジャンパー配線を露出するように開口されていることを特徴とする。
【００１０】
本発明に係るフレキシブル配線基板は、以上のように構成することにより、折り曲げ部に形成されたジャンパー配線が折り曲げ部を折り返した際に被接続配線と交差部分においてカバーレイを開口させた露出部分にて接触するため、折り曲げ部を折り返して配線同士を接続しても耐久性および配線自由度が高く、別途ジャンパー部品が不要であるためコストの低減を図ることができ、折り曲げ部を折り返すという容易かつ簡単な構造で離れた配線同士をジャンパー接続することができるようになる。
【００１１】
カバーレイは、被接続配線およびジャンパー配線のいずれをも覆うように形成されており、開口は、それぞれ対向する位置に形成されているとよい。また、折り曲げ部は、側方に突出するように形成されていたり、その折り曲げ部以外の周囲が切り込まれることによって形成されていたりするとよい。
【００１２】
被接続配線およびジャンパー配線は、例えば導電性ペースト、半田および異方導電性フィルムのいずれかを介して接続されている。また、被接続配線およびジャンパー配線は、例えばレーザ溶着、超音波溶着、振動溶着および加圧溶着のいずれかによって接続されていてもよい。
【発明の効果】
【００１３】
本発明によれば、フレキシブル配線基板において、耐久性および配線自由度が高くコストの低減を図りつつ容易かつ簡単な構造で離れた配線同士をジャンパー接続することができる。
【発明を実施するための最良の形態】
【００１４】
以下、添付の図面を参照して、本発明の実施の形態を説明する。
【００１５】
図１および図２は、本発明の第１の実施形態に係るフレキシブル配線基板を示す正面図である。また、図３は、図１のＡ−Ａ’断面図、図４は、図２のＢ−Ｂ’断面図である。なお、図１はジャンパー接続前のフレキシブル配線基板を示し、図２はジャンパー接続後のフレキシブル配線基板を示している。
【００１６】
図１および図３に示すように、フレキシブル配線基板（以下、「ＦＰＣ」と呼ぶ。）１は、例えばポリエチレンテレフタレート（ＰＥＴ）、ポリエチレンナフタレート（ＰＥＮ）、ポリイミド（ＰＩ）、液晶ポリマー（ＬＣＰ）などからなる絶縁性を有する絶縁フィルム２１（図３参照、以下同じ）の上に、金、銀、銅あるいは炭素などによる導体パターンからなる複数の配線３１，３２，３３，３４，３５を形成してなる。そして、これら絶縁フィルム２１および配線３１〜３５の上を電気的絶縁性能を有する合成樹脂などからなるカバーレイ２２でさらに覆った構造からなる。
【００１７】
また、フレキシブル配線基板１は、基板の側縁部から外方に突出する片状に形成された折り曲げ部１０を有し、この折り曲げ部１０は、上記と同様に絶縁フィルム２１上に導体パターンからなるジャンパー配線２８，２９を形成し、カバーレイ２２で覆った構造からなる。この折り曲げ部１０のジャンパー配線２８，２９の一部は、それぞれカバーレイ２２が除去されたことによる複数の開口１９から露出する電極部２８ａ，２８ｂ，２９ａ，２９ｂ，２９ｃを構成してなる。
【００１８】
また、このような電極部２８ａ，２８ｂ，２９ａ〜２９ｃが形成された折り曲げ部１０を折り曲げ箇所ｆ（図１参照）で折り返した場合に、フレキシブル配線基板１の複数の配線３１〜３５上における折り曲げ部１０の電極部２８ａ，２８ｂ，２９ａ〜２９ｃと対向する箇所それぞれには、同様にカバーレイ２２が除去されたことによる複数の開口３９から露出する電極部３１ａ，３２ａ，３３ａ，３４ａ，３５ａが形成されている。
【００１９】
したがって、図２および図４に示すように、各電極部の接続部に銀、銅、炭素などの導電粒子を混合した導電性ペースト４０（図４参照）を配置して、このように構成された折り曲げ部１０を折り曲げ箇所ｆにて折り返すと、電極部２８ａと電極部３４ａが導電性ペースト４０を介して接続されるとともに、電極部２８ｂと電極部３２ａが導電性ペースト４０を介して接続されて、ジャンパー配線２８により配線（被接続配線）３２，３４がジャンパー接続される。
【００２０】
また、電極部２９ａと電極部３５ａが、電極部２９ｂと電極部３３ａが、電極部２９ｃと電極部３１ａがそれぞれ導電性ペースト４０を介して接続され、ジャンパー配線２９により配線（被接続配線）３１，３３，３５がジャンパー接続される。本例のフレキシブル配線基板１では、このような構造により各配線３１〜３５を所望の状態でジャンパー接続することができるので、折り曲げ箇所ｆにて配線３１〜３５が折り曲げられることはなく、回路抵抗を高めずにクラックによる断線を防止して耐久性を向上させることができる。
【００２１】
また、別途ジャンパー配線２８，２９を備えるジャンパー部品などを製造することなく、フレキシブル配線基板１を製造する過程にて折り曲げ部１０を製造することができるので、コストの低減を図ることができる。さらに、配線３１，３５の内側に設けられた配線３２〜３４に関しても、折り曲げ部１０に形成されたジャンパー配線２８，２９を用いてジャンパー接続することができるので、配線自由度を向上させることができる。このように、本例のフレキシブル配線基板１では、折り曲げ部１０を折り返すことにより容易かつ簡単に離れた配線同士をジャンパー接続することが可能となる。
【００２２】
なお、各電極部２８ａ，２８ｂ，２９ａ〜２９ｃ，３１ａ〜３５ａの接続は、上述したような導電性ペースト４０を介在させる他に、半田や異方導電性フィルム（ＡＣＦ）などを介して行ってもよい。また、電極部２８ａ，２８ｂ，２９ａ〜２９ｃ，３１ａ〜３５ａを直接接触させ、レーザ溶着、超音波溶着、振動溶着あるいは加圧溶着などにより接続するようにしてもよい。さらに、カバーレイ２２は、各配線３１〜３５上および折り曲げ部１０のジャンパー配線２８，２９上の少なくとも一方に形成されていればよい。
【００２３】
次に、本発明の第２の実施形態に係るフレキシブル配線基板について説明する。図５および図６は、本発明の第２の実施形態に係るフレキシブル配線基板を示す正面図である。なお、以降において、既に説明した部分と重複する箇所には同一の符号を附して説明を省略する。
【００２４】
図５に示すように、本例のフレキシブル配線基板１Ａは、折り曲げ部１０が、上述したように基板の側縁部から外方に突出する片状に形成されているのではなく、基板上において切り込み１１にて基板から分離可能に形成されている点が先の例のフレキシブル配線基板１とは相違している。
【００２５】
折り曲げ部１０がこのように形成されることにより、切り込み１１にて基板と分離し、折り曲げ箇所ｆにて折り返した場合に、各電極部２８ａ，２８ｂ，２９ａ〜２９ｃ，３１ａ〜３５ａが接続され、ジャンパー配線２８により配線３２，３４が、ジャンパー配線２９により配線３１，３３，３５がそれぞれジャンパー接続される。
【００２６】
このように、本例のフレキシブル配線基板１Ａにおいても、各配線３１〜３５を容易かつ簡単にジャンパー接続することができるので、折り曲げ箇所ｆにて配線３１〜３５が折り曲げられることはなく、回路抵抗を高めずにクラックによる断線を防止して耐久性を向上させることができる。また、フレキシブル配線基板１Ａを製造する過程にて切り込み１１を形成して折り曲げ部１０を製造することができるので、コストの低減を図ることができる。
【００２７】
さらに、配線３１，３５の内側に設けられた配線３２〜３４に関しても、折り曲げ部１０に形成されたジャンパー配線２８，２９を用いて簡単にジャンパー接続することができるので、配線自由度を向上させることができ、折り曲げ部１０を折り返すことで離れた配線同士をジャンパー接続することができる。
【産業上の利用可能性】
【００２８】
本発明は、複数の配線のうち、他の配線を間に挟んで所定の配線間をジャンパー接続するジャンパー構造を備えるフレキシブル配線基板に有用である。
【図面の簡単な説明】
【００２９】
【図１】本発明の第１の実施形態に係るフレキシブル配線基板を示す正面図である。
【図２】本発明の第１の実施形態に係るフレキシブル配線基板を示す正面図である。
【図３】図１のＡ−Ａ’断面図である。
【図４】図２のＢ−Ｂ’断面図である。
【図５】本発明の第２の実施形態に係るフレキシブル配線基板を示す正面図である。
【図６】本発明の第２の実施形態に係るフレキシブル配線基板を示す正面図である。
【符号の説明】
【００３０】
１，１Ａ…フレキシブル配線基板、１０…折り曲げ部、１１…切り込み、１９，３９…開口、２１…絶縁フィルム、２２…カバーレイ、２８，２９…ジャンパー配線、２８ａ，２８ｂ，２９ａ，２９ｂ，２９ｃ，３１ａ〜３５ａ…電極部、３１〜３５…配線、４０…導電性ペースト。
【図１】
2008166496.tif 000003
【図２】
2008166496.tif 000004
【図３】
2008166496.tif 000005
【図４】
2008166496.tif 000006
【図５】
2008166496.tif 000007
【図６】
2008166496.tif 000008